(57)【要約】      （修正有）【課題】コンサート等のイベントで必要に応じて発光する携帯発光装置を提供する。【解決手段】発光部４と、電源部６と、スイッチ５２及び振動センサ５３を備えた制御部５を有する携帯発光装置１において、電源部６から発光部４への駆動電力の供給モードとして、振動センサ５３が振動を検出した場合にのみ電力供給を行うモードを選択可能とする。【選択図】図１
0003182105.tif 000002
【実用新案登録請求の範囲】
【請求項１】
発光部と、該発光部に駆動電力を供給する電源部と、前記発光部への駆動電力の供給を制御する制御部とを備え、振動を検出して前記発光部を発光させる演出用の携帯発光装置であって、
前記制御部は、
前記駆動電力の供給モードを切替えるスイッチ部と、
前記形態発光装置に加えられた振動を検出する振動検出部と、
を備え、
前記スイッチ部は、前記供給モードとして、前記振動検出部によって振動が検出されている場合にのみ前記駆動電力を供給する振動供給モードを選択可能である
ことを特徴とする、携帯発光装置。
【請求項２】
前記携帯発光装置は、使用者が携帯発光装置を把持する把持部と、透光性部材からなる透光部と、からなるペンライト状の形状を有し、
前記把持部は、前記発光部と、前記電源部と、前記制御部と、を備えた
ことを特徴とする、請求項１記載の携帯発光装置。
【請求項３】
前記携帯発光装置は、本体部と、該本体部を使用者の腕に装着するバンド部と、を備えた腕時計状の形状を有し、
前記本体部は、前記発光部と、前記電源部と、前記制御部と、を備えた
ことを特徴とする、請求項１記載の携帯発光装置。
【請求項４】
前記発光部は、少なくとも二色以上の光を選択可能な光源を備え、
前記スイッチ部は、さらに、発光する光の色を切替え可能であることを特徴とする、請求項１〜３のいずれかに記載の携帯発光装置。
【請求項５】
前記振動検出部は、機械式振動センサであることを特徴とする、請求項１〜４のいずれかに記載の携帯発光装置。
【考案の詳細な説明】
【技術分野】
【０００１】
本考案は携帯発光装置に関し、具体的には、振動を検出して発光する演出用の携帯発光装置に関する。
【背景技術】
【０００２】
従来から、コンサートホールやスタジアム等のイベント会場において、場内の雰囲気を盛り上げる演出としてペンライト等携帯型の発光装置が用いられている。
【０００３】
この発光装置としてはたとえば特許文献１の発光具が知られている。特許文献１の発光具は電池内蔵式のペンライトであり、観客がこれを持ち、演奏に併せて点灯させたペンライトを一斉に振る等によって、場内の雰囲気を盛り上げるものである。
【先行技術文献】
【特許文献】
【０００４】
【特許文献１】特開平９−２８２９０２号公報
【考案の概要】
【考案が解決しようとする課題】
【０００５】
従来の発光装置は、点灯、消灯を使用者がスイッチ操作等により手動で切替えるものである。コンサート等のイベントでは、観客同士の一体感を醸成するために所定のタイミングで発光装置を点灯させる演出がなされる場合があるが、当該イベント会場の観客席は暗く、スイッチ操作が困難であることがある。
【０００６】
また、イベントにおいては当該イベントの開始から終了まで、常に発光装置を発光させておく必要はないことはある。このような場合に、都度、観客がスイッチ操作を行うのは煩わしい。
【０００７】
さらに、コンサート等の会場では前記の様に観客席は暗くされていることがあるが、この場合に、舞台上の演奏者からは不要なタイミングで発光装置が発光している状態は望ましいものではない。
【０００８】
本考案は上記の状況に着目し、コンサート等のイベントで必要に応じて発光する携帯発光装置を提供することを、その目的とする。
【課題を解決するための手段】
【０００９】
上記課題を解決することを目的としてなされた本考案は、発光部と、該発光部に駆動電力を供給する電源部と、前記発光部への駆動電力の供給を制御する制御部とを備え、振動を検出して前記発光部を発光させる演出用の携帯発光装置であって、前記制御部は、前記駆動電力の供給モードを切替えるスイッチ部と、前記形態発光装置に加えられた振動を検出する振動検出部と、を備え、前記スイッチ部は、前記供給モードとして前記振動検出部によって振動が検出されている場合にのみ前記駆動電力を供給する振動供給モードを選択可能であることを特徴としている。
【００１０】
本考案の携帯発光装置は、使用者が携帯発光装置を把持する把持部と、透光性部材からなる透光部と、からなるペンライト状の形状を有し、前記把持部は、前記発光部と、前記電源部と、前記制御部と、を備えていてもよく、又は、本体部と、該本体部を使用者の腕に装着するバンド部と、を備えた腕時計状の形状を有し、前記本体部は、前記発光部と、前記電源部と、前記制御部と、を備えていてもよい。
また、発光部は、少なくとも二色以上の光を選択可能な光源を備え、前記スイッチ部は、さらに、発光する光の色を切替え可能としてもよい。
また、振動検出部は、機械式振動センサであることが望ましい。
【考案の効果】
【００１１】
本考案によれば、携帯発光装置が振動を検出した時のみ発光する振動発生モードを備えていることにより、当該携帯発光装置をイベントの進行にあわせて振る等、必要な場合に応じて発光させることができる。
【図面の簡単な説明】
【００１２】
【図１】本発明の第一の実施例における斜視図。
【図２】同実施例における振動センサを表す図であり、（ａ）は外観の斜視図、（ｂ）は断面図。
【図３】本発明の第二の実施例における斜視図。
【考案を実施するための形態】
【００１３】
次に、図面を参照して本考案に係る携帯発光装置の実施形態の例を説明する。
本考案の第一の実施例に係る携帯発光装置１は、図１に示すように、把持部２と、透光部３を外観上の主な構成とするペンライト状の装置である。
【００１４】
把持部２は、前後二枚の合成樹脂製部材２１、２２を螺子によって固定した部材であり、図１の破線で示すように、内部に、発光部４と、制御部５と、電源部６を備えている。
【００１５】
透光部３は、透明な合成樹脂製の部材であり、本実施例では前後二枚のパネル３１、３２を継ぎ合わせた中空の部材である。透光部２の下端は、把持部２を構成する二枚の合成樹脂製部材２１、２２によって挟持された上で、当該合成樹脂製部材２１、２２を固定する螺子によって把持部２に固定されている。
【００１６】
発光部４は、白色の光を発光する発光ダイオード４１、４２から構成されている。発光ダイオード４１および４２は、後述の電源部６から駆動電力を供給されることにより発光する。また、発光部４の発光ダイオード４１、４２が発した光は、前述のパネル３１、３２の壁面に反射することで、透光部３の全体が発光しているように見せることができる。
【００１７】
制御部５は、電子回路を実装する基盤５１と、スイッチ５２と、振動センサ５３から構成されている。電子回路は、スイッチ５２をスライドさせて所定の接点を接触させた際に、振動センサ５２を介して後述の電源部から前述の発光ダイオード４１、４２に電力を供給するように構成されている。
【００１８】
スイッチ５２は基盤５１上に実装された開閉器である。本実施例におけるスイッチ５２は具体的にはスライドスイッチであり、当該スイッチをスライドさせることにより、電源ＯＦＦ、及び、後述の常時供給モードと、振動供給モードを切り替えることができる。
【００１９】
振動センサ５３は、図２（ａ）、（ｂ）で示すように、合成樹脂性のフレーム５３ａと、フレーム５３ａの上下に設けた端子５３ｂ、５３ｃと、フレーム５３ａ、端子５３ｂ、５３ｃで構成された空間内に位置する金属製の球体５３ｄで構成されている。
【００２０】
フレーム５３ａ、端子５３ｂ、５３ｃで構成される空間は、図２（ｂ）でしめすように断面中央部分の上下方向幅が球体５３ｄの直径よりも長く、端部に向かって狭くなるように構成されている。球体５３ｄが上記中央部分に位置した状態では、端子５３ｂと５３ｃの距離よりも球体５３ｄの直径が小さいため、端子５３ｂと５３ｃは導通されていない。振動センサ５３に振動が加えられる等により球体５３ｄが端部方向に移動すると、端子５３ｂ、５３ｃは球体５３ｄを介して導通する。
【００２１】
電源部６は、電池と、ボタン電池を前述の制御部５に接続する回路から構成されている。
【００２２】
本実施例の制御部５は、スイッチ５２を操作することにより、電源部６から発光部４への駆動電力の供給を、電源ＯＦＦ、常時供給モード、及び、振動供給モードから選択することができる。
【００２３】
常時供給モードは、電源部６から駆動電力を発光部４に常時供給し、発光部４の発光ダイオード４１、４２を当該モードを選択している間常時点灯させる供給モードである。振動供給モードは、電源部６からの駆動電力を前述の振動センサ５３を介して発光部４に供給することで、携帯発光装置１に振動が加えられた時にのみ、発光部４の発光ダイオード４１、４２を点灯する供給モードである。
【００２４】
前述のように、振動センサ５３は、当該振動センサ５３に振動が加えられた際等に限って端子５３ｂ、５３ｃが導通する機械式の振動センサであり、この振動センサ５３を介して駆動電源が発光ダイオード４１、４２に供給される構成とすることで、本実施例の携帯発光装置１はスイッチ５２により振動供給モードを選択すれば、振動が加わった時にのみ発光させることができる。
【００２５】
本実施例の携帯発光装置１は、前述の構成により振動が加わったときにのみ発光させることが出来るので、イベント等における観客はイベントの開始時にスイッチ５２で振動供給モードを選択することで、イベントの進行にあわせて携帯発光装置１を一斉に振る等、発光させる必要がある場合にのみ発光させることができる。観客はイベント中のスイッチ操作等、不要な行為をする必要が無くなり、よりイベントに集中することができる。
また、舞台上の演者等にとっても、不要なタイミングで観客席が発光することがなくなるので、演技等イベントの進行に集中することができる。
さらに、振動センサ５３は、端子５３ｂ、５３ｃの導通を振動によって物理的に接続、切断する構成を備えている。この振動センサ５３を用いることにより、スイッチの切り忘れによる電力消費を効果的に防ぐことができる。
【００２６】
図３は、本考案の第二の実施例を示す斜視図である。
本考案の第二の実施例は、図３で示すように、発光部４と、制御部５と、電源部６を備えた本体部７と、本体部７を使用者の腕に固定するためのバンド部８から構成される腕時計状の携帯発光装置９である。
【００２７】
発光部４、制御部５、電源部６の具体的な構成は第一の実施例と同様であり、第一の実施例は使用者が把持部２を持って使用するペンライト状の形状であるのに対し、第二の実施例では腕時計状の形状としたものである。
本考案を第二の実施例のように腕時計状とすることで、携帯発光装置８を持つ必要がなくなり、使用者がイベント等の鑑賞に集中することができる。
【００２８】
以上が本考案の第一及び第二の実施例の詳細であるが、本考案の構成は上記実施例に限られるものではない。
例えば、第一の実施例では発光部４が白色の光を発光する発光ダイオード４１、４２を備えているが、発光部の光は白色でなくともよく、また、異なる色の光を発光する発光ダイオードを組み合わせてもよい。この場合には、制御部が備えるスイッチで、発光する光の色を選択できるようにしてもよい。
その他の具体的構成についても、前述の実施例の形態に限られるものではなく、本考案の趣旨を逸脱しない範囲でさまざまな変更が可能である。
【符号の説明】
【００２９】
１            携帯発光装置
２            把持部
３            透光部
４            発光部
４１、４２    発光ダイオード
５            制御部
５１          基盤
５２          スイッチ
５３          振動センサ
６            電源部
【図１】
0003182105.tif 000003
【図２】
0003182105.tif 000004
【図３】
0003182105.tif 000005